(57)【要約】【課題】給気すべき室内の天井に設けた吹出口から壁や窓ガラス等に沿った下方へのドラフトが生じることを防止することができる吹出口の風向制御機構およびこれを用いたダクトレス換気システムを提供する。【解決手段】部屋１１の天井に多角形状の吹出用の開口２７が形成され、この開口の中央部を塞ぐ固定板２８が設けられて、開口の各辺部２７ａと固定板との間に吹出口３４ａ〜３４ｄが形成されるとともに、固定板上に、各々開口の辺部に向けて進退自在に設けられ、吹出口の辺部と固定板との間の部分を独立的に開閉する複数の移動部材３５〜３８が水平方向に移動自在に設けられ、かつ固定板に、各々の移動部材を辺部に向けて進退させる駆動機構３９が設けられるとともに、駆動機構の駆動杆４０が固定板を貫通して固定板の下面側から操作可能に設けられてなる。【選択図】図３
2008032348.tif 000002
【特許請求の範囲】
【請求項１】
給気すべき部屋の天井に多角形状の吹出用の開口が形成され、この開口の中央部を塞ぐ固定板が設けられることにより、上記開口の各辺部と上記固定板との間に吹出口が形成されるとともに、上記固定板上に、各々上記開口の辺部に向けて進退自在に設けられ、上記吹出口の上記辺部と上記固定板との間の部分を独立的に開閉する複数の移動部材が水平方向に移動自在に設けられ、かつ上記固定板に、各々の上記移動部材を辺部に向けて進退させる駆動機構が設けられるとともに、上記駆動機構の駆動杆が上記固定板を貫通して当該固定板の下面側から操作可能に設けられてなることを特徴とする吹出口の風向制御機構。
【請求項２】
上記駆動機構は、上記固定板の中心部に立設されて上記駆動杆となる回動軸と、この回動軸の軸線方向に沿って設けられ、各々上記移動部材に当接する複数のカム板と、このカム板と上記移動部材との間に設けられて上記移動部材を上記カム板に当接する方向に付勢する付勢部材とを備えてなり、
上記回動軸を回動させることにより、上記カム板および付勢部材によって上記移動部材を上記開口の辺部側に向けて進退させるようにしたことを特徴とする請求項１に記載の吹出口の風向制御機構。
【請求項３】
上記移動部材は、底縁が上記多角形状に形成されるとともに側面に頂部へ向けて傾斜する多角錐状の壁面が設けられた中空の外観多角錐体または多角柱体が、上記傾斜壁面の稜線において軸線方向に分割されてなることを特徴とする請求項１または２に記載の吹出口の風向制御機構。
【請求項４】
上記移動部材の上方に、吸引した空気を上記吹出口に向けて送気するファンが設けられていることを特徴とする請求項１ないし３のいずれかに記載の吹出口の風向制御機構。
【請求項５】
上記ファンの上方に、上記空気の吸込み口が形成されるとともに、風量調整板を上記吸込み口に対して接離自在に設けたことを特徴とする請求項４に記載の吹出口の風向制御機構。
【請求項６】
給気すべき部屋に請求項１ないし５のいずれかに記載の吹出口の風向制御機構を備えた建物におけるダクトレス換気システムであって、
上記開口が形成された部屋の天井内が給気用のボイドスペースとされ、当該ボイドスペース内に循環型給気ファンが設けられるとともに、上記循環型給気ファンの吸入側に、外気取入ダクトおよび他の第１の部屋に開口する環流ダクトが接続され、かつ上記循環型給気ファンの吐出側が上記ボイドスペースに開口されるとともに、他の第２の部屋に内部の空気を屋外に排気する排気ファンを設け、上記部屋と上記第１および第２の部屋との間に、空気の流通路を設けたことを特徴とするダクトレス換気システム。
【請求項７】
上記部屋は居室であり、上記第１の部屋は廊下であるとともに、上記第２の部屋はサニタリースペースであることを特徴とする請求項６に記載のダクトレス換気システム。
【発明の詳細な説明】
【技術分野】
【０００１】
本発明は、住宅の換気システムにおいて、室内の天井に設けられた空気の吹出口に用いて好適な吹出口の風向制御機構およびこれを用いたダクトレス換気システムに関するものである。
【背景技術】
【０００２】
近年、建材やその接着剤あるいはシロアリ防止剤等から発生するホルムアルデヒド、アセトアルデヒド、トルエン、キシレン等の揮発性有機化合物に起因する、いわゆるシックハウス症候群の発生を防止するために、法規上、新築の戸建て住宅や共同住宅に対しても、０．５回／ｈｒの換気を２４時間連続して行うことが要求されている。
【０００３】
ところで、従来の住宅における換気システムとしては、例えば図１５に示すように、居室１、２の外壁に給気口１ａ、２ａを設け、浴室や洗面室あるいはトイレ等のサニタリースペース３の天井に排気ファン４を設けて、当該排気ファン４の吐出側を天井内５に設けた排気ダクト４ａを介して排気口４ｂに接続するとともに、居室１とサニタリースペース３との間、サニタリースペース３と廊下６との間、廊下６と居室２との間に、それぞれ通気部７を設けたものが知られている。ちなみに、この通気部７は、両室間に設けられたドア下部の隙間やドアガラリ等である。
【０００４】
これは、第３種換気システムと呼ばれるものであって、排気ファン４によってサニタリースペース３内の空気を、天井内５に設けられた排気ダクト４ａを介して排気口４ｂから外部に強制排気することにより、屋外の空気が給気口１ａ、２ａから居室１、２内に自然流入し、さらに通気部７から廊下６およびサニタリースペース３へと流れることにより、住戸内の全体の空気を換気するようにしたものである。
【０００５】
上記従来の換気システムにあっては、サニタリースペース３の天井および天井内５に排気ファン４および排気ダクト４ａ等を設置すればよいために、構造か簡易で経済的であるという利点はあるものの、上述したように２４時間連続して、０．５回／ｈｒの換気を行うと、居室１、２等における快適な空調環境を保持することができず、特に冬季においては寒冷な外気が直接かつ連続的に住戸内に導入されてしまうために、到底居住に耐え得ないという問題点があった。
【０００６】
このような問題点を解決する従来の換気システムとしては、図１６に示す第１種換気システムが知られている。
この換気システムは、天井内５に排気ファンを内蔵した熱交換ユニット８を設け、サニタリースペース３内の空気を、天井内５に設けた排気ダクト３ａを通じて熱交換ユニット８に送ったうえで排気ダクト４ａおよび排気口４ｂから排気するとともに、これに伴って給気口９から流入する外気を、上記熱交換ユニット８において、排気される室内の空気と熱交換した後に、天井内５に設置された給気ダクト９ａを通じて居室１、２の天井に設けた吹出口９ｂから室内に供給するようにしたものである。
【０００７】
上記従来の換気システムによれば、熱交換ユニット８において、給気口９から住戸内に採り入れられる外気を、室内から排気される空気と熱交換させた後に、居室１、２内に給気しているために、図１５に示したものと比較して、外気をより室内の温度に近付けたうえで、居室１、２等に供給することができる。
【０００８】
しかしながら、上記換気システムにあっても、熱交換ユニット８における空気流路が狭く、よって空気流速が大きくなるのに対して、大きな熱交換面積を確保することが難しいために、十分な熱交換を行って外気と排気との温度差を小さくすることが困難であり、依然として所望の空調環境を保持するためには、空調に要するエネルギーコストが高くなるという問題点があった。
【０００９】
加えて、天井内５に、給気ダクト９ａ、排気ダクト３ａ、４ａ等を設ける必要があるために、天井内５が狭隘となって保守点検の障害になるとともに、施工コストが高くなるという問題点もあった。
【００１０】
そこで、本発明者等は、先に下記特許文献１に見られるような、戸建住宅用ダクトレス換気システムを提案した。
このダクトレス換気システムは、天井内を給気ダクトとして利用したものであり、当該天井内に循環型給気ファンを設けるとともに、この循環型給気ファンの吸入側に、外気取入ダクトおよび廊下の空気を排気する環流ダクトが接続され、かつ上記循環型給気ファンの吐出側が天井内に開口されるとともに、居室に天井内の空気を室内に導入するための吹出口を設け、さらにサニタリースペースの天井に内部の空気を直接屋外に排気する排気ファンを設けたものである。
【００１１】
上記ダクトレス換気システムにおいては、循環型給気ファンによって、外気取入ダクトからの０．５回／ｈｒの量の外気と、環流ダクトを介して排気された０．５回／ｈｒの量の廊下の空気とを混合して、給気ダクトとなる天井内に送気する。すると、この天井内の空気は、吹出口から居室に給気されるとともに、通気部を通じてサニタリースペースおよび廊下へと流れる。また、これと並行して、外気取り入れ分に相当する０．５回／ｈｒの量のサニタリースペース内の空気を排気ファンから屋外に排気する。
【００１２】
この結果、上記ダクトレス換気システムによれば、住戸内において１．０回／ｈｒの量の換気を行うことができるために、例えば環流ダクトに清浄用フィルターを設置することにより、従来よりも大きな換気量を確保することができるとともに、環流ダクトからの室内の空気と外気とが天井内の広いスペースにおいて混合されるために、内外温度差によるヒートショックを大幅に緩和することができるという利点がある。しかも、天井内に設置すべきダクトを大幅に減少させることができるために経済性にも優れる。
【００１３】
ところで、上記ダクトレス換気システムにあっては、給気ダクトとなる天井内の空気が、居室の天井の設けた吹出口から給気されるために、室内に下方に向けたドラフト（空気流）が発生してしまうという欠点があった。特に、通常上記居室においては、照明を部屋の中央に設ける関係上、上記吹出口が居室のコーナー部に設けられているために、上記ドラフトにより壁や窓ガラス等を伝って冷えた空気が２４時間、連続的に給気されてしまい、居住者に不快感を与えるという問題点があった。
【００１４】
また、循環型給気ファンから送気された空気によって給気ダクトとなる天井内が正圧になるために、一部の空気が天井内から壁内を伝わってコンセントやターミナルコネクタ等の器具から噴き出すこともあり、流量自体は微量であるものの、椅子やベッド等の配置によっては、居住者に不快感を与えるおそれがあった。
【特許文献１】特開２００３−５００３４号公報
【発明の開示】
【発明が解決しようとする課題】
【００１５】
本発明は、かかる事情に鑑みてなされたもので、給気すべき室内において、天井に設けた吹出口から壁や窓ガラス等に沿った下方へのドラフトが生じることを防止することができ、かつ室内においても給気を円滑に拡散させることが可能となる吹出口の風向制御機構およびこれを用いたダクトレス換気システムを提供することを課題とするものである。
【課題を解決するための手段】
【００１６】
上記課題を解決するために、請求項１に記載の発明は、給気すべき部屋の天井に多角形状の吹出用の開口が形成され、この開口の中央部を塞ぐ固定板が設けられることにより、上記開口の各辺部と上記固定板との間に吹出口が形成されるとともに、上記固定板上に、各々上記開口の辺部に向けて進退自在に設けられ、上記吹出口の上記辺部と上記固定板との間の部分を独立的に開閉する複数の移動部材が水平方向に移動自在に設けられ、かつ上記固定板に、各々の上記移動部材を辺部に向けて進退させる駆動機構が設けられるとともに、上記駆動機構の駆動杆が上記固定板を貫通して当該固定板の下面側から操作可能に設けられてなることを特徴とするものである。
【００１７】
ここで、請求項２に記載の発明は、請求項１に記載の駆動機構が、上記固定板の中心部に立設されて上記駆動杆となる回動軸と、この回動軸の軸線方向に沿って設けられ、各々上記移動部材に当接する複数のカム板と、このカム板と上記移動部材との間に設けられて上記移動部材を上記カム板に当接する方向に付勢する付勢部材とを備えてなり、上記回動軸を回動させることにより、上記カム板および付勢部材によって上記移動部材を上記開口の辺部側に向けて進退させるようにしたことを特徴とするものである。
【００１８】
また、請求項３に記載の発明は、請求項１または２に記載の発明において、上記移動部材は、底縁が上記多角形状に形成されるとともに側面に頂部へ向けて傾斜する多角錐状の壁面が設けられた中空の外観多角錐体または多角柱体が、上記傾斜壁面の稜線において軸線方向に分割されてなることを特徴とするものである。
【００１９】
さらに、請求項４に記載の発明は、請求項１〜３のいずれかに記載の発明において、上記移動部材の上方に、吸引した空気を上記吹出口に向けて送気するファンが設けられていることを特徴とするものであり、請求項５に記載の発明は、請求項４に記載のファンの上方に、上記空気の吸い込み口が形成されるとともに、風量調整板を上記吸込み口に対して接離自在に設けたことを特徴とするものである。
【００２０】
次いで、請求項６に記載の発明は、給気すべき部屋に請求項１〜５のいずれかに記載の吹出口の風向制御機構を備えた建物におけるダクトレス換気システムであって、上記開口が形成された部屋の天井内が給気用のボイドスペースとされ、当該ボイドスペース内に循環型給気ファンが設けられるとともに、上記循環型給気ファンの吸入側に、外気取入ダクトおよび他の第１の部屋に開口する環流ダクトが接続され、かつ上記循環型給気ファンの吐出側が上記ボイドスペースに開口されるとともに、他の第２の部屋に内部の空気を屋外に排気する排気ファンを設け、上記部屋と上記第１および第２の部屋との間に、空気の流通路を設けたことを特徴とするものである。
【００２１】
また、請求項７に記載の発明は、請求項６に記載の発明において、上記部屋が居室であり、上記第１の部屋が廊下であるとともに、上記第２の部屋がサニタリースペースであることを特徴とするものである。
【発明の効果】
【００２２】
請求項１〜５のいずれかに記載の発明によれば、固定板に対して複数の移動部材を開口の各々の辺部に向けて独立的に移動自在に設けているために、固定板に設けた駆動機構によって、複数の移動部材の全てを、給気すべき部屋の天井に形成された開口の辺部から退く方向に移動させておけば、上記開口と固定板の間に、全周にわたって吹出口を形成することができる。
【００２３】
そして、上記吹出用の開口が、上記部屋の壁や窓ガラスに近接して設けられている場合や、上記部屋のコーナー部に設けられている場合には、上記駆動機構によって、複数の移動部材のうちの上記壁や窓ガラス側に位置する開口の辺部と対向する移動部材を、上記辺部側に向けて移動させることにより、上記吹出口の上記辺部と固定板との間の部分を独立的に塞ぐことができる。
【００２４】
この結果、上記吹出口から壁や窓ガラス等に沿った下方へのドラフトが生じることを防止することができる。
また、上記吹出口の風向制御機構によれば、上記固定板および移動部材を取り付けた後に、適宜取付箇所に応じて、１〜複数の移動部材を移動させることにより、上記吹出口の壁や窓ガラス側に位置する部分を選択的に塞ぐことができるために、建物全体として共通の部材を使用することができ、施工が容易である。
【００２５】
この際に、請求項２に記載の発明によれば、室内側から回動軸を操作するのみで、各々の移動部材に対応したカム板を同時に回動させて、各移動部材を進退駆動することができる。また、カム板の外周に形成されて移動部材を進退させるためのカム曲線を移動部材ごとに変えたり、あるいは当該カム曲線の上記回動軸の回動角度に対する位相をずらしたりすることにより、上記回動軸の回動に伴って、順次移動部材によって塞ぐ吹出口の数を増加させたり、または円周方向に順次異なる移動部材を進退させて塞ぐべき吹出口の位置を変えたりといった様々な吹出口の調整を行うことが可能になる。
【００２６】
さらに、請求項３に記載の発明によれば、複数の移動部材を、全体として外観多角錐体または多角柱体に形成するとともに、側面に頂部へ向けて傾斜する多角錐状の壁面を設けているために、上方からの空気の流れが当該移動部材の頂部から壁面に沿って外周側の吹出口へと案内されることになる。このため、吹出口から室内へ供給される空気が、当該吹出口から直下に流れることなく、上記壁面の傾斜角度に応じて斜め下方に流れるために、より一層上記給気を室内の広い範囲へと拡散させることが可能になる。
【００２７】
また、請求項４に記載の発明によれば、上記移動部材の上方に、吸引した空気を下方の吹出口に向けて送気するファンが設けられているために、各々の部屋において、独立的な給気を行うことができる。
加えて、請求項５に記載の発明によれば、当該ファンの上方に設けた風量調整板を、吸込み口に対して接離させることにより、部屋毎に吹出口から室内に供給される空気量を容易に調整することも可能になる。
【００２８】
したがって、請求項６または７に記載の発明にように、ダクトレス換気システムにおける吹出口に、上記請求項１〜５のいずれかに記載の吹出口の風向制御機構を設ければ、上述した吹出口の風向制御機構自体が奏する作用効果を得ることができる。特に、請求項４に記載の吹出口の風向制御機構を設けた場合には、各吹出口にファンが設けられているために、天井内に形成された給気用のボイドスペース内の空気を、強制的に各室に送気することができるために、当該ボイドスペース内が過度に正圧となって、壁のコンセント等から給気の一部が噴出することを確実に防止することができる。
【発明を実施するための最良の形態】
【００２９】
図１〜図１２は、本発明に係る吹出口の風向制御機構およびこれを用いたダクトレス換気システムの一実施形態を示すものある。
図１および図２において、図中符号１０が住宅である。この住宅１０は、３つの居室１１、浴室、洗面室およびトイレを備えたサニタリースペース（第２の部屋）１２、これら間の廊下（第１の部屋）１３を有しており、天井内に給気用のボイドスペース１４が形成されている。
また、これら居室１１、サニタリースペース１２および廊下１３の間に、ドア下部の隙間やドアガラリ等による通気部１５が形成されている。
【００３０】
そして、天井内のボイドスペース１４には、循環型給気ファン１６が設けられ、この循環型給気ファン１６の吸入側に、給気口１７から延びる外気取入ダクト１８と、廊下１３の空気を排気する環流ダクト１９とが接続されている。ここで、外気取入ダクト１８に、フィルター２０が介装されるとともに、廊下１３の天井には、環流ダクト１９の吸入口となる環流フィルター２１が取り付けられている。他方、この循環型給気ファン１６の吐出側１６ａは、ボイドスペース１４に開口されている。
【００３１】
また、サニタリースペース１２の天井には、内部の空気を直接屋外に排気するための排気ファン２２が設けられており、この排気ファン２２の吐出側に、ボイドスペース１４に配管された排気ダクト２３の一端部が接続されるとともに、この排気ダクト２３の他端部が排気口２４に接続されている。なお、図１においては、外気取入ダクト１８との重なりを避けて目視し易くするために、排気ダクト２３および排気口２４を、図２とは逆の方向に図示してある。そして、各居室１１のコーナー部に、室端末ファン２５を備えた吹出口の風向制御機構２６が設けられている。
【００３２】
各々の吹出口の風向制御機構２６においては、図３〜図５に示すように、居室１１の天井１１ａに正方形の開口２７が形成されるとともに、この開口２７の中央部を塞ぐ正方形の固定板２８が配設されている。ここで固定板２８は、その４角隅部において取付板を介して開口２７に取り付けられた枠材２９に固定されている。また、枠材２９の四隅上面には、ボイドスペース１４側に突出する仕切部材３０が立設されており、この仕切部材３０の上端部に平板状のファン取付板３１が取り付けられている。これにより、開口２７の外縁辺（辺部）２７ａと固定板２８との間には、合計４つの吹出口３４ａ〜３４ｄが形成されている。
【００３３】
他方、ファン取付板３１は、中央部に開口が形成されており、この開口を跨ぐようにして上記室端末ファン２５が取り付けられている。この室端末ファン２５は、モータ２５ａが開口２７の中心部に配設されるとともに、その下方に向けた出力軸に羽根２５ｂが取り付けられている。また、取付板３１には、室端末ファン２５を取り囲むようにして、筒状のガイド部材３２が立設されており、このガイド部材３２の縮径された頂部に吸込み口３３が形成されている。これにより、室端末ファン２５は、上記吸込み口３３から吸引した空気を下方に向けて送気するようになっている。
【００３４】
そして、この室端末ファン２５の下方に、４つの移動部材３５〜３８が固定板２８の上面に移動自在に配設されている。これら移動部材３５〜３８は、各々の底板３５ａ〜３８ａが全体として固定板２８と同寸法をなる四角錐状に形成されており、個々の移動部材３５〜３８は、当該四角錐が稜線において軸線方向に分割された形状に形成されている。そして、各々の移動部材３５〜３８は、それぞれの頂部を室端末ファン２５の中心部の下方に位置させ、かつ底板３５ａ〜３８ａの外周縁を開口２７の各外縁辺２７ａと平行に位置させて、当該外縁辺２７ａに向けて進退自在に設けられている。これにより、各移動部材３５〜３８の側面には、頂部から外周側の各吹出口３４ａ〜３４ｄへと傾斜する壁面が形成されている。
【００３５】
また、各移動部材３５〜３８は、図７に示すように中空に形成されるとともに、内部には移動方向の中間部に内壁３５ｂ〜３８ｂが垂直に設けられている。そして、これら内壁３５ｂ〜３８ｂで囲まれた内部空間に、カム機構（駆動機構）３９が設けられている。
【００３６】
このカム機構３９は、図７〜図１２に示すように、固定板２８の中心部に挿通されるとともに下端部に回動操作用のノブ４０ａが設けられた回動軸（駆動杆）４０と、この回動軸４０の軸線方向に等間隔をおいて固定された４枚のカム板４１ａ〜４１ｄと、各移動部材３５〜３８の内壁３５ｂ〜３８ｂに固定されるとともに水平方向に延出して各カム板４１ａ〜４１ｄの外周面に当接する係合板４２ａ〜４２ｄと、一端部が回動軸４０の外周に相対的に回動自在に取り付けられるとともに、他端部が各内壁３５ｃ〜３８ｃに固定されることにより、各係合板４２ａ〜４２ｄをカム板４１ａ〜４１ｄに当接する方向に付勢するスプリング（付勢部材）４３ａ〜４３ｄとから構成されている。
【００３７】
なお、各係合板４２ａ〜４２ｄの先端部には、各カム板４１ａ〜４１ｄの外周面に当接するコロが回転自在に組み込まれている。
さらに、各移動部材３５〜３８の底板３５ａ〜３８ａには、その移動方向に延在する２条のガイド溝４５ａ〜４５ｄが平行に形成され、他方固定板２８には、これらガイド溝４５ａ〜４５ｄ内に突出するピン４６ａ〜４６ｄが突設されている。ちなみに、ガイド溝４５ａ〜４５ｄは、底板３５ａ〜３８ａの外周縁と開口２７の外縁辺２７ａとの間隔とほぼ等しい長さ寸法に形成されている。
【００３８】
ここで、図８〜図１２に基づいて、４つの移動部材３５〜３８に対応する各カム板４１ａ〜４１ｄのカム曲線の形状について詳述する。なお、図８〜図１２は、それぞれ回動軸４０の回動角度が、０°、９０°、１８０°、２７０°および３６０°直前における各カム板４１ａ〜４１ｄの回動位置と、移動部材３５（各図ａ）、３６（各図ｂ）、３７（各図ｃ）、３８（各図ｄ）の位置との関係を示すものである。
【００３９】
先ず図８に示すように、上記回動角度が０°においては、カム板４１ａ〜４１ｄともに、その外周面が、移動部材３５〜３８が開口２７の外縁辺２７ａから後退した位置、すなわち４つの吹出口３４ａ〜３４ｄが開いた状態となる半径ｒ´に形成されている。
【００４０】
次いで、図９に示すように回動軸４０を９０°回動させた位置においては、カム板４１ａの外周面が、移動部材３５を開口２７の外縁辺２７ａまで移動させる半径ｒに形成されるとともに、他のカム板４１ｂ〜４１ｄは、依然として移動部材３６〜３８が開口２７の外縁辺２７ａから後退した位置となる半径ｒ´に形成されている。これにより、上記回動角度９０°においては、１箇所の吹出口３４ａが閉じるとともに、他の吹出口３４ｂ〜３４ｄが開いた状態を保持するようになっている。
【００４１】
そして、図１０に示すように、回動軸４０を１８０°回動させた位置においては、カム板４１ａ、４１ｂの外周面が、移動部材３５、３６を開口２７の外縁辺２７ａまで移動させる半径ｒに形成されるとともに、他のカム板４１ｃ、４１ｄは、依然として移動部材３７、３８が開口２７の外縁辺２７ａから後退した位置となる半径ｒ´に形成されている。これにより、上記回動角度１８０°においては、隣接する２箇所の吹出口３４ａ、３４ｂが閉じるとともに、他の吹出口３４ｃ、３４ｄが開いた状態を保持するようになっている。
【００４２】
次いで、この状態から、回動軸４０を回動させて、図１１に示すように２７０°まで回動させた位置においては、３つのカム板４１ａ〜４１ｃの外周面が、移動部材３５〜３７を開口２７の外縁辺２７ａまで移動させる半径ｒに形成されるとともに、他のカム板４１ｄは、そのまま移動部材３８が開口２７の外縁辺２７ａから後退した位置となる半径ｒ´に形成されている。これにより、上記回動角度２７０°においては、隣接する３箇所の吹出口３４ａ〜３４ｃが閉じるとともに、他の吹出口３４ｄが開いた状態を保持するようになっている。
【００４３】
そしてさらに回動軸４０を回動させて、図１２に示すように３６０°直前まで回動させた位置においては、全てのカム板４１ａ〜４１ｄの外周面が、移動部材３５〜３８を開口２７の外縁辺２７ａまで移動させる半径ｒに形成されている。これにより、上記回動角度においては、４箇所全ての吹出口３４ａ〜３４ｄが閉じるようになっている。
【００４４】
他方、図３および図４に示すように、枠材２９の四隅のうちの３箇所には、天井１１ａを貫通してガイド部材３２の吸込み口３３よりも上方まで延びる支持軸５０が立設されており、他の１箇所には、支持軸５０と等しい高さ寸法を有するとともに上部にネジ部５１ａが形成された高さ調整軸５１が回転自在に立設されている。そして、吸込み口３３の上方には、板状の風量調整板５２が配設されている。
【００４５】
この風量調整板５２は、四隅のうちの３箇所に穿設された孔部に支持軸５０が緩く挿入され、他の１箇所にはナット５３が固定されている。そして、このナット５３に高さ調整軸５１が螺合されることにより、風量調整板５２は、高さ調整軸５１のノブ５１ｂの回動により支持軸５０に沿って上下方向に移動自在に設けられている。
【００４６】
以上の構成からなる吹出口の風向制御機構およびこれを用いたダクトレス換気システムにおいては、先ず居室１１内における給気用の開口２７の配置に応じて、風向制御機構２６における移動部材３４のそれぞれの位置を調整する。
例えば、図５に示すように、開口２７が窓ガラス４７の近傍に形成されることにより、４つの吹出口３４ａ〜３４ｄのうちの１つの吹出口３４ａが窓ガラス４７側に位置する場合には、当該吹出口３４ａを閉じておく。
【００４７】
この場合には、室内側からノブ４０ａを操作して回動軸４０を図９に示すように回動角度９０°まで廻す。これにより、カム板４１ａにより対応する１つの移動部材３５が吹出口３４ａ側に押し出されることによって、窓ガラス４７側に位置する吹出口３４ａを塞ぐことができる。
【００４８】
また、図２および図６に示す本実施形態のように、各居室１１のコーナー部に、室端末ファン２５を備えた吹出口の風向制御機構２６が設けられている場合には、回動軸４０をさらに９０°廻して、図１０に示すように回動角度１８０°に位置させる、これにより、カム板４１ｂに対応する移動部材３６も押し出されることにより、既に移動部材３５によって塞がれている吹出口３４ａに隣接する吹出口３４ｂも塞がれる。この結果、隣接する壁部４８ａ、４８ｂ側に位置する２箇所の吹出口３５、３６を閉じることができる。
【００４９】
このようにして、壁部４８ａ、４８ｂ側に位置する吹出口３５、３６を塞ぐことにより、吹出口の風向制御機構２６の設定が完了する。
次いで、本ダクトレス換気システムにおいては、循環型給気ファン１６によって、外気取入ダクト１８を介して給気口１７から吸引した０．５回／ｈｒの量の外気と、フィルター２１によって清浄化された後に環流ダクト１９を介して排気された０．５回／ｈｒの量の廊下１３の空気とを混合して、給気ダクトとなる天井内のボイドスペース１４に送気する。そして、このボイドスペース１４内の空気を、室端末ファン２５によって吹出口３５から各居室１１内へと給気する。
【００５０】
すると、居室１１内の空気は、通気部１５を通じてサニタリースペース１２および廊下１３へと流れ、これと並行して、外気取り入れ分に相当する０．５回／ｈｒの量のサニタリースペース１２内の空気が排気ファン２２によってボイドスペース１４に配管された排気ダクト２３へと流れ、排気口２４から屋外へと排気されて行く。
【００５１】
この結果、上記ダクトレス換気システムによれば、住戸内において１．０回／ｈｒの量の換気を行うことができるために、従来よりも大きな換気量を確保することができるとともに、環流ダクト１９から吸引された廊下１３の空気と外気とが天井内の広いボイドスペース１４において混合されるために、内外温度差によるヒートショックを確実に緩和することができる。加えて、天井内に設置すべきダクトを大幅に減少させることができるために経済性にも優れる。
【００５２】
しかも、各居室１１に設置した吹出口の風向制御機構２６ごとに、室端末ファン２５が設けられているために、給気用のボイドスペース１４の空気を、強制的に各居室１１に送気することができ、よって当該ボイドスペース１４が過度に正圧となって、壁のコンセント等から給気の一部が噴出することを確実に防止することができる。
【００５３】
以上のダクトレス換気システムが奏する作用効果に加えて、居室１１に設けられた吹出口の風向制御機構２６によれば、カム機構３９によって移動部材３５、３６を移動させることにより、壁部４８ａ、４８ｂ側に位置する２箇所の吹出口３４ａ、３４ｂを閉じておくことができるために、壁部４８ａ、４８ｂに沿った下方へのドラフトが生じることを防止することができる。
【００５４】
しかも、カム機構３９の回動軸４０をさらに回動させれば、他の２箇所の吹出口３４ｃ、３４ｄについても順次塞ぐことができる。
加えて、室端末ファン２５を取り囲むようにして筒状のガイド部材３２を立設し、このガイド部材３２の縮径された頂部に吸込み口３３を形成するとともに、この吸込み口３３の上方に近接して風量調整板５２を設けているために、ノブ５１ｂによって風量調整板５２を支持する高さ調整軸５１を回転させて風量調整板５２を吸込み口３３に対して接離させることにより、例えば居室１１の中央部に開口２７が配置されているような場合においても、吹出口３４ａ〜３４ｄを閉じることなく、室内に供給される空気量を容易に調整することもできる。
【００５５】
なお、本発明に係る吹出口の風向制御機構の構成については、上述した風向制御機構２６の他、様々な構造を採用することが可能である。
例えば、図１３および図１４は、上記風向制御機構の他の実施形態を示すものであり、カム機構３９を含めて上記風向制御機構２６と共通する構成部分については、同一符号を付してある。
【００５６】
この風向制御機構６０が上記風向制御機構２６と異なる点は、開口２７の中央部を塞ぐ固定板２８の寸法、並びに仕切部材３０の上部に封止壁部６１が設けられている点、さらに移動部材６２〜６５の形状にある。
すなわち、この風向制御機構６０においては、ボイドスペース１４側に立設された仕切り部材３０の上端部に、四角筒状の封止壁部６１が設けられている。
【００５７】
この封止壁部６１は、その上端部に室端末ファン２５を取り付けるための平板状のファン取付板３１が固定されるとともに、その下端部が仕切部材３０との接合位置よりも下方に位置するように形成されている。
また、固定板２８は、図３および図４に示したものよりも、外形寸法が小さい正方形に形成されており、これにより当該固定板２８の外周縁と開口２７を画成する各外縁辺２７ａとの間には、幅広の４つの吹出口６６ａ〜６６ｄが形成されている。
【００５８】
そして、この固定板２８上に、移動部材６２〜６５が水平方向に移動自在に設けられている。
これら移動部材６２〜６５は、全体として正方形状をなす底板と、これら底板の外周縁上に一体化された四角筒状の側壁６２ａ〜６５ａと、これら側壁６２ａ〜６５ａの上端部から頂部へと傾斜する四角錐筒状の天板（傾斜壁面）とからなる形状に形成されている。
【００５９】
そして、個々の移動部材６２〜６５は、当該四角錐の稜線および四角筒の角部において軸線方向に四分割された形状に形成されている。また、底板によって形成される正方形は、固定板２８よりも小さく形成されている。また、側板６２ａ〜６５ａは、その上部が封止壁部６１の下部に臨む高さ寸法に形成されている。
【００６０】
以上の構成からなる吹出口の風向制御機構６０においては、同様に、例えば図５に示すように、開口２７が窓ガラス４７の近傍に形成され、４つの吹出口６６ａ〜６６ｄのうちの窓ガラス４７側に位置する吹出口６６ａを閉じておく場合には、回動軸４０を廻して図９に示すように回動角度９０°に位置させる。すると、同様にカム板４１ａによって移動部材６２が押し出されて、その側壁６２ｂが封止壁部６１に当接する。これにより、窓ガラス４７側に位置する吹出口６６ａを塞ぐことができる。
【００６１】
また、図２および図６に示すように、壁部４８ａ、４８ｂによって形成されたコーナー部の天井に風向制御機構６０が設けられている場合には、さらに回動軸４０を廻して図１０に示すように回動角度１８０°に位置させる。これにより、移動部材６２に加えて、さらにカム板４１ｂによって移動部材６３が押し出されてその側壁６３ｂが封止壁部６１に当接することにより、壁部４８ａ、４８ｂ側に位置する２箇所の吹出口６６ａ、６６ｂを塞ぐことができる。
【００６２】
したがって、上記吹出口の風向制御機構６０およびこれを用いたダクトレス換気システムによっても、図１〜図１２に示したものと同様の作用効果を得ることが可能である。
【００６３】
なお、上記実施の形態においては、いずれも吸込み口３３の上方に、板状の風量調整板５２を配設した場合についてのみ説明したが、本発明はこれに限定されるものではなく、当該風量調整板５２を省略することもできる。
【図面の簡単な説明】
【００６４】
【図１】本発明に係るダクトレス換気システムの一実施形態を示す縦断面図である。
【図２】図１の平面図である。
【図３】本発明に係る吹出口の風向制御機構の一実施形態を示す縦断面図である。
【図４】図３の固定板を省略した底面図である。
【図５】図３の風向制御機構を窓ガラスに近接して配置した状態を示す平面図である。
【図６】図３の風向制御機構を居室のコーナー部に配置した状態を示す平面図である。
【図７】図３の移動部材およびカム機構の構造を模式的に示す縦断面図である。
【図８】カム板の形状と回動軸の回動角度が０°の時の移動部材の位置を示す図で、（ａ）はカム板４１ａ、（ｂ）はカム板４１ｂ、（ｃ）はカム板４１ｃ、（ｄ）はカム板４１ｄの場合である。
【図９】カム板の形状と回動軸の回動角度が９０°の時の移動部材の位置を示す図で、（ａ）はカム板４１ａ、（ｂ）はカム板４１ｂ、（ｃ）はカム板４１ｃ、（ｄ）はカム板４１ｄの場合である。
【図１０】カム板の形状と回動軸の回動角度が１８０°の時の移動部材の位置を示す図で、（ａ）はカム板４１ａ、（ｂ）はカム板４１ｂ、（ｃ）はカム板４１ｃ、（ｄ）はカム板４１ｄの場合である。
【図１１】カム板の形状と回動軸の回動角度が２７０°の時の移動部材の位置を示す図で、（ａ）はカム板４１ａ、（ｂ）はカム板４１ｂ、（ｃ）はカム板４１ｃ、（ｄ）はカム板４１ｄの場合である。
【図１２】カム板の形状と回動軸の回動角度が３６０°直前の時の移動部材の位置を示す図で、（ａ）はカム板４１ａ、（ｂ）はカム板４１ｂ、（ｃ）はカム板４１ｃ、（ｄ）はカム板４１ｄの場合である。
【図１３】本発明に係る吹出口の風向制御機構の他の実施形態を示す縦断面図である。
【図１４】図１３の固定板を省略した底面図である。
【図１５】従来の換気システムを示す縦断面図である。
【図１６】従来の他の換気システムを示す縦断面図である。
【符号の説明】
【００６５】
１０  住戸
１１  居室（給気すべき部屋）
１１ａ  天井
１２  サニタリースペース（第２の部屋）
１３  廊下（第１の部屋）
１４  ボイドスペース
１５  空気の流通路
１６  循環型給気ファン
１７  給気口
１８  外気取入ダクト
１９  環流ダクト
２２  排気ファン
２３  排気ダクト
２５  室端末ファン
２６  吹出口の風向制御機構
２７  開口
２７ａ  開口の外縁辺（辺部）
２８  固定板
３３  吸込み口
３５〜３８、６２〜６５  移動部材
３４ａ〜３４ｄ、６６ａ〜６６ｄ  吹出口
３９  カム機構（駆動機構）
４０  回動軸（駆動杆）
４１ａ〜４１ｄ  カム板
４３ａ〜４３ｄ  スプリング（付勢部材）
５２  風量調整板
６１  封止壁部
６２ａ〜６５ａ  側壁
【図１】
2008032348.tif 000003
【図２】
2008032348.tif 000004
【図３】
2008032348.tif 000005
【図４】
2008032348.tif 000006
【図５】
2008032348.tif 000007
【図６】
2008032348.tif 000008
【図７】
2008032348.tif 000009
【図８】
2008032348.tif 000010
【図９】
2008032348.tif 000011
【図１０】
2008032348.tif 000012
【図１１】
2008032348.tif 000013
【図１２】
2008032348.tif 000014
【図１３】
2008032348.tif 000015
【図１４】
2008032348.tif 000016
【図１５】
2008032348.tif 000017
【図１６】
2008032348.tif 000018